(57)【特許請求の範囲】
【請求項１】
通気孔（２１）と、          該通気孔（２１）の下部に当たる、低比重体で作った浮上片（２２）の上に付けた、低硬度弾性体である密着片（２３）と、 前記浮上片（２２）と前記密着片（２３）とが落下しないようにする支持手段（２４）と、          により構成した通気防水栓（２）を底部（１１）に設けた通気防水履物。
【請求項２】
低硬度弾性体である密着片（２３）が、弾性体の低硬度独立気泡発泡体である、請求項１に記載の通気防水履物。
【請求項３】
低硬度弾性体である密着片（２３）が、少なくとも上面が薄いシート状物で、内部に流体を封入したものである、請求項１に記載の通気防水履物。
【請求項４】
通気孔（２１）の下部の下部が尖った状態である、請求項1〜３のいずれか１項に記載の通気防水履物。
【請求項５】
通気孔（２１）の下部の尖った状態のものが複数である、請求項４に記載の通気防水履物。
【請求項６】
通気孔（２１）の形状が円柱又は逆円錐台を含む円錐台であり、密着片（２３）の形状が球、半球、球冠，球台、円錐台又は斜面が凹状である円錐台、円柱、円錐である、請求項１〜      ５のいずれか１項に記載の通気防水履物。
【請求項７】
通気孔（２１）の下部にヒダ（２１２）を設けた、請求項６に記載の通気防水履物。
【発明の詳細な説明】
【技術分野】
【０００１】
本発明は、陸上(水から出た状態)では通気性があり、水中では防水性がある履物に関する。詳しくは、低比重体で作った浮上片の上に付けた密着片を通気孔の下部に当てる通気防水栓を底部に設けた通気防水履物に関する。即ち、通気防水栓は陸上では、浮上片に付けた密着片は、重力により下がり、通気孔と離れるため開栓し、水中では浮上片は浮力により浮上し、その上に付けた密着片が通気孔と密着するため密栓するものである。
【背景技術】
【０００２】
従来、蒸れを防止した、通気性の履物については、いろいろ提案されている。主なものは、歩行によるポンプ作用(換気機能)によるもの、甲被・底等足を覆う部分に孔をあけたもの、更にこの孔に透湿防水材を取付けたもの、吸湿材を入れたもの等がある。
【０００３】
水深に無関係の防水ではないが、水深数センチメートル程度までの通気防水長靴は、本発明と同一発明者、同一出願人によるものが提案されている。
【０００４】
ポンプ作用を利用した長靴が商品化されにくい要因の１つに、胴部の長さがあると考えられる。更に、長靴は、通常ズボンの裾を横方向に折り曲げて、長靴の胴部の中に入れるため、長靴の胴部の上部がズボンにより、蓋をしたような状態になり、排気が困難になっていることである。
【０００５】
従来、水中では水深に関係なく、防水性があり、陸上では通気性がある履物はなかった。
【０００６】
蒸れ防止の履物で、底部に孔をあけたものでは、特許文献１〜６がある。
【０００７】
特許文献１のものは、靴底の底面に半円形の空どうのゴムを設け、靴底に穴を設けた健康エアー靴である。歩くと、ゴムが多少へこんで、穴から空気が靴の中に入り、むれずに常に、乾燥した状態を保つ。靴底にあけた穴により空気が入るが、防水対策は記載されていない。
【０００８】
特許文献２のものは、稍肉厚のシューズ底面に両端が底縁に開口する複数の凹条を形成する。この凹条の底にシューズ内に通ずる通気孔を設け、シューズ内の中敷又は中底に前記通気孔に対応する通気部を設けた屋内勤務用シューズである。明細書には、「水の溜まった床等を歩行した場合、体重のかかったシューズ底に於ける凹条内の空気は、押圧されても底縁に形成された凹条の内の両端開口より外部に抜けて、凹条内は密封されないから、減圧作用による溜まり水の吸い上げ現象は生じないので、通気孔が開いても靴下やストッキング或いはシューズの内面部を汚すことなく、良好な通気性と相俟って履き心地の良い長時間の使用を可能にする。」とあるが、屋内勤務用で、稍肉厚のシューズ底であるから床等に溜まった水は量が少ない為吸い上げないとしても、深い水に入れば、靴内に水が入るものと考えられる。
【０００９】
特許文献３のものは、底に穴があいた靴である。靴底に多数の穴をあけているが、防水対策は記載されていない。
【００１０】
特許文献４のものは、透湿防水フィルムを使用してブーティ製法によって製造するゴルフシューズにおいて、内側に繊維を貼着した透湿防水フィルムで形成した袋状内装体の底部分に所要の通気孔を設け、該袋状内装体の底部分の下側に通気性の良好なクッション材をあてがうと共に該クッション材を透湿防水フィルムで包被したゴルフシューズである。通気孔に透湿防水フィルムを設けて防水対策をしていると考えられる。
【００１１】
特許文献５のものは、履物の底部材のうち少なくとも爪先側底部材の上面に、足裏当接面である凸部を構成する底部材の上面と、足裏との間に所定の隙間を形成する所定数の縦穴とが形成され、縦穴が底部材の外周側面部に開設された所定数の横穴に連通されている履物の底構造である。履物の中と外とが縦穴と横穴とでつながっているが、横穴の出口(開口部)が底部材の外周側面部の上部に開設されているので、通常では水が履物の内部に入らない。しかし深い水たまり等に入れば、水が入ると考えられる。
【００１２】
特許文献６のものは、通気性のある甲被を有し、中底、本底に孔をあけ、該中底、本底の間に、水は通さないが水蒸気は通す、通気防水膜を挟んだ靴である。水は入らないが、通気防水膜のため、通気量は少ないと考えられる。
【００１３】
水深数センチメートル程度以下の防水と陸上での通気性のあるものでは、本発明と同一発明者、同一出願人による特許文献７〜９がある。
【００１４】
特許文献７のものは、履物の底部、胴部に窓を設け，この窓に目の細かい網目体に撥水処理をした通風防水材を気密に取付けたものである。通風(気)性は、非常に良く、数センチメートル以下の水深では漏水しない。なお、通風性とは、通気性が非常に良い為、従来の通気性と区別する為の造語である。
【００１５】
特許文献８のものは、目の細かい網目体に撥水処理をした通風防水材とこれを適用した製品であり、この適用製品の中に履物があるものである。
【００１６】
特許文献９のものは、特許文献７のものに耐動圧性及び耐衝撃性のないことが分かったため、その対策を取ったものである。即ち、耐動圧具は、孔のあいた２枚の板を互いに孔の位置をずらせて、近付けて平行に置くものである。耐衝撃圧具は、水面に当ったときに弁が閉まり、この弁により衝撃圧が遮られるため、漏水を防ぐものである。
【００１７】
特許文献１０のものは、射出成形長靴の中底に傾斜したリブを多数設け、その上面に多数の通気孔を備えた硬質の中敷を挿入するとともに、胴部内側に縦方向の細長い凸条突起により作られた通気溝を形成した通気性の射出成形長靴である。中底のリブがポンプ作用をし、通気溝で排気するものである。
【００１８】
【特許文献１】実開平１‐１５８７０３「健康エアー靴」公報
【特許文献２】実開平３‐１１８０２「屋内勤務用シューズ」公報
【特許文献３】実開平４‐１６９０４「底に穴があいた靴」公報
【特許文献４】実開平７‐１８６０４「ゴルフシューズ」公報
【特許文献５】特開平８‐１３１２０４「履物の底構造」」公報
【特許文献６】特表２００３‐５３０１７８「通気性のある靴」」公報
【特許文献７】特開平１０‐１７９２０２「通風防水性履物、その製法及びその部品」公報
【特許文献８】特開平１１‐２００２４７「通風防水材及びその適用製品」
【特許文献９】特開平１１‐２５３２０３「通風防水性履物の耐動圧具及び耐衝撃圧具」公報
【特許文献１０】特開平０２‐１３１７０２「通気性の射出成形長靴」公報
【発明の開示】
【発明が解決しようとする課題】
【００１９】
従来の通気防水材は、水滴は通さず、水蒸気は通す微細な孔を有するものであった。従って、その通気量は、小さいものであった。又、蒸れを防止する通気量を得るには、広い面積を必要とした。これに対し、本発明の通気量の課題は、従来技術に比べ、大きいというものである。
【００２０】
従来の通気防水具の防水性は、水深数センチメートル以下という制約があった。これに対して、本発明の通気防水材栓の防水性の課題は、水深に無関係のものである。
【００２１】
本底に孔をあけたものは、通気防水材を使用したものを除き、少しの水深でも防水機能はない。即ち、特許文献２や特許文献５のような本底の底面や側面に通気孔を設けたものは、室内履きであり、わずかな水深で漏水する。
【００２２】
水深数センチメートル程度以下の防水と陸上での通気性のあるものは、当然ながら深い水には入れない。
【００２３】
従来の通気性長靴には、陸上と水中とに分けて、陸上では通気性があり、水中では水深に無関係の防水性があるという考え(技術的思想)はなかった。蒸れ防止は、主としてポンプ作用を利用し、水中でも歩行すれば働くものであった。短靴の蒸れ防止は、甲被によるものが主で、底部によるものは、透湿防水材使用によるものであった。
【００２４】
長靴の使用状況をみると、鮮魚店、厨房、魚市場、漁港等々通常は、水中には入らず、たまに水がかかったり、浅い水たまりに入ったりする程度で、長靴を履いている場合が大部分ではないかと考えられる。衛生長と称する胴部が白い長靴も水中に入ることはほとんどない。このように、たまにしか水に入らないのに、長靴は完全防水であり、業務上毎日履くので、長靴の中は蒸れて、不快であり、又水虫等に悩まされることが多い。長靴を履いていても大部分の時間は、水中に入らない状況を考えると、上記のように、陸上と水中とに分けて考えるのは、重要であると考える。大部分を占める陸上での時間には、通気性があるので、非常に有用性がある。従来、短靴の場合は、浅い水たまりでも水中に入るのは、稀であり、水中に入ることは、考慮されていなかった。底部から漏水しないようにしているだけであった。しかし、短靴でも陸上と水中とに分けて通気防水を考えることは、蒸れ防止上、重要である。
【００２５】
長靴の使用状況を考えると、陸上で通気性があることは、長靴の蒸れ問題を大部分解決したことになる。
【００２６】
通気量が小さく、防水に水深の制約がある、従来の技術とは異なり、本発明は、陸上では通気量が大きく、水中では水深に無関係で防水できるものである。
【００２７】
本発明が解決しようとする課題は、これらの問題点を解決し、陸上では通気性があり、水中では水深に無関係の防水性がある履物を提供することである。  
【課題を解決するための手段】
【００２８】
本発明は、陸上では通気性があり、水中では水深に無関係の防水性があることを特徴とする。
【００２９】  請求項１に係る通気防水履物は、通気孔２１と・該通気孔２１下部に当たる、低比重体で作った浮上片２２の上に付けた、低硬度弾性体である密着片２３と・前記浮上片２２と前記密着片２３とが落下しないようにする支持手段２４と・により構成した通気防水栓２を底部１１に設けたものである。【００３０】
通気防水栓2を適用する履物１は、長靴、短靴、つっかけ等がある。長靴は、ブーツ等履口が、踝から膝下までのものをいう。短靴は、履口が、踝以下のものをいう。つっかけ等は、履物の台の上を覆うものが、爪先や甲の部分だけで、踵部分を覆うものがないもので、図１１に示す、いわゆるつっかけ、サンダル、スリッパ等をいう。
【００３１】
履物１の底部１１には、爪先部、踏付け部、踏まず部、踵部があるが、通気防水栓2は、これらのどこに設けてもよい。
【００３２】
爪先部、踏付け部は、最も蒸れやすい所で、水虫にかかり易い足指のある爪先は、通気の効果が大きい。反面、厚みが薄いことがあり、通気防水栓2を装着しにくいことがある。
【００３３】
踏まず部は、底面と接地面との距離があり、厚みのある通気防水栓2を装着するのに好都合である。但し、通気防水栓２の一部が露出することがある。中底面と足の踏まず部との間には、空間があるので、通気し易いのもよい。又、この空間に、通気防水栓2の一部を置くこともできる。
【００３４】
踵部は、厚みがあるので、内部に通気防水栓2を装着できる。但し、踵部は、蒸れを感じにくい所であり、又足指のある爪先部から遠い所なので、通気を送るポンプを付けることも考えられる。なお、特許請求の範囲では、「底部１１」とし、以下具体的な説明に入ると、「本底１１」として、２つの用語に同じ番号を使用しているが、底部は、本底、中底及びこの両者に挟まれる詰め物等を含む、履物の底を構成する全体を指すのに対し、本底は、底面を含む底部の主要部分を指す。
【００３５】
通気孔２１の平面形状は、任意でよい。通常、金型の工作の容易さから円形にするが、楕円、小判形、多角形等何でもよい。底意匠の谷間を利用する場合は、横長や細長いものが適する。下面が、密着片２３と密着できればよい。側面形状も任意でよい。
【００３６】
通気孔２１の下部は、平らでもよいし、尖らせてもよい。密着片２３が、軟質物のときは、尖らせたほうが、密着片２３に食込んで密着し易い。尖らせた通気孔２１下部を複数にしてもよい．
【００３７】
浮上片２２は、水中で、密着片２３を浮上させるためのもので、比重が小さい方がよい。材質がもともと低比重のものでも、独立気泡の発泡体にしたものでも、中空のものでもよい。浮上片２２の形状は、通気防水栓2の構造・形状に関係する。通気防水栓2の装着箇所の影響が大で、厚みの要因が大きい。
【００３８】  密着片２３は、水中で、浮上片２２により押し上げられ、通気孔２１の下部に押し付けられて、密着するものである。表面が軟らかいものと軟らかくなくてよいものとがある。剛体でもよい場合もある。充実した物体でも、独立気泡の発泡体でも、中空でもよい。要は、通気孔２１の下部と密着して、防水(水が漏らない)できればよい。上記は、密着片２３全般を説明したもので、請求項１の密着片２３は、表面が軟らかいものに属し、低硬度弾性体のものである。密着片２３に用いる低硬度を弾性体は、天然ゴム又はSBR等の汎用合成ゴムに大量の軟化剤を配合したものでもよいし、特殊合成ゴム例えばノルボルネン・ポリマーに大量の油を配合したもの等でもよい。ゴム以外のプラスチックでも、軟らかいものであればよい。特殊プラスチックに大量の可塑剤を配合して、軟らかくしたものでもよい。元来軟らかいプラスチックでもよい。分り易い例として、食品のコンニャクは、実用には使用できないが、非常に軟らかいものである。試みに、コンニャクを密着片２３にしてみると、発泡スチロールの浮上片２２は小さいものでよかった。【００３９】 密着片２３全般を説明すれば、密着片２３が、軟らかいか、軟らかくなくてよいかは、密着片２３・通気孔２１下部の形状による。密着片２３の上面が凸面、平面、凹面で、通気孔２１下部の幅が狭かったり尖っていたりして、通気孔２１下部が、密着片２３に食い込むものは、軟らかい必要がある。通気孔２１の下部が円形で、密着片２３の形状が、球、半球、円柱、円錐、円錐台、凹面等の場合は、軟らかくなくてよい。ただし、通気孔２１が円柱の場合は、円柱の密着片２３は、適用できない。通気孔２１の下部は、円形に限らないので、楕円、小判形等の曲線、三角形、四角形、多角形でもよく、密着片２３がこれらの形と同一で、密着して漏水しなければよい。しかし、通常は、金型の工作の容易さから円形にする【００４０】
軟らかいものは、低硬度のゴム等弾性体、低硬度の弾性プラスチック、ゾルタイプの塩化ビニル樹脂に多量の可塑剤を配合して加熱ゲル化したもの、低硬度の特殊プスチック、ゴム・弾性プラスチック等弾性体の独立気泡発泡体、２枚のゴム・プラスチック等の薄いシートの周囲を熱融着等で結合して、その中に空気・水の流体を封入したもの等がある。要は、通気孔２１下部に密着して、漏水しなければよい。流体の空気・水も例示したのであって、他の気体・液体でもよい。水素、ヘリュウムを封入して、比重低減も期待できる。
【００４１】
軟らかくなくてよいものは、特に材質を選ばない。
【００４２】
通気孔２１は、本底１１の材質で形成するので、通常、高硬度のものでも、多少は弾性がある。密着片２３が、剛体でもよく密着する。もちろん、工作の精度がよければ、剛体同士でも漏水しないのは、履物以外でよく目にすることである。
【００４３】
密着片２３は、浮上片２２と兼用してもよい。軟らかい場合は、ゴム等弾性体の独立気泡発泡体、２枚の薄いシートの周囲を熱融着等でシールして空気を封入したもの、断面コの字形の低比重体の上面に薄いシートを気密に結合して、空気を封入したもの等がある。軟らかくなくてよい場合は、薄いプラスチック等の中空体、発泡スチロール等の独立気泡発泡体の球体、円柱体、円錐台体等がある。
【００４４】
支持手段２４は、密着片２３、浮上片２２等が密着片収納部２５から落下しないように支えるもので、密着片収納部２５の下部に設けた支持片２４、密着片収納部２５上部に設けた支持糸２４１、本底１１下部に取付けた支持板２４２がある。要は、密着片２３、浮上片２２等が落下しなければよいので、形は、他のものでもよい。
【００４５】
通気防水栓2は、本発明の中心的なもので、通気孔２１の下部に、低比重体でできた浮上片２２の上に付けた密着片２３が当るようにしたもので、陸上では密着片２３等に重力が働くため下がり、通気孔２１の下部から離れて、通気し、水中では、浮上片２２に浮力が働くため浮上し、通気孔２１の下部に密着片２３が密着して、密栓するものである。密着片２３等が落下しないように支えるため、支持手段を用いる。以下、実施例で詳しく説明する。なお、通気防水栓2は、複数個設けてもよい。
【００４６】
本発明の通気防水履物を生産するには、長靴は、射出成型が最適であるが、底部を圧縮成型する、いわゆる「焼底」にも適している。「カレンダー底」の場合は、底部成形後適用箇所に孔をあけ、別途用意しておいた通気防水栓2を挿入密着させる等方法は、いろいろある。短靴も同様である。射出成型した底部１１の上側に裏布等があり、通気を妨げる場合は、ポンチ等で除けばよい。
【００４７】  請求項２に係る通気防水履物は、低硬度弾性体である密着片２３が、弾性体の低硬度独立気泡発泡体である、請求項１に記載の通気防水履物である。【００４８】 一般的に、密着片２３の軟らかさは、浮上片２２の浮力と関連する。すなわち、密着片２３が軟らかいほど、浮上片２２の浮力は小さくてよい。密着片２３が非常に軟らかくて、通気孔２１の下部が鋭く尖っておれば（ナイフエッジ）、通気孔２１の下部は、密着片２３に食い込み易く、密着し易いので、押し付ける力は、小さくてよく、浮上片２２の浮力は小さくてよいことになる。浮上片２２は小さくてよい。請求項２に係る通気防水履物に使用している弾性体の低硬度独立気泡発泡体は、軟らかいので、通気孔２１の下部に密着し易い。 弾性体の低硬度独立気泡発泡体は、ゴム、軟質プラスチック等の弾性体を独立気泡発泡体にしたものの軟らかいもの、すなわち、低硬度のものである。密着片２３は、通気孔２１の下部に押し付けて密着するため、軟らかいものがよい。独立気泡発泡体の上面は、表皮(スキン層)の付いた面でも、透き分け(スカイブ)した面でもよい。独立気泡にするのは、水を通さないためである。弾性体と限定したのは、発泡体が軟らかい必要があるためである。通気孔２１の下部の先端が尖っている方がよいのは，請求項１のものと同じである。【００５２】  請求項３に係る通気防水履物は、低硬度弾性体である密着片２３が、少なくとも上面が薄いシート状で、内部に流体を封入したものでる、請求項１に記載の通気防水履物である。【００５３】 通気孔２１の下部に当たるのは、密着片２３の上面であるから、内部に流体を封入したものの上面だけでも薄いシート状物であればよいことになる。断面がコの字形である発泡スチロールの浅い箱状物の上面に薄いシート状物を気密に貼り付けたものでもよい。薄いシート状物は、柔軟性があり、通気孔２１の下部によくなじんで密着する。薄いシート状物は、フィルム状に近いものでもよい。【００５４】  請求項４に係る通気防水履物は、通気孔２１の下部が尖った状態である、請求項１〜３のいずれか１項に記載の通気防水履物である。【００５５】通気孔２１の下部が尖った状態のものは、密着片２３が軟らかいものの場合である。尖った状態の通気孔２１下部は、軟らかい密着片２３に食い込み易い。尖った状態は、鋭い方がよい。【００５６】  請求項５に係る通気防水履物は、通気孔２１の下部の尖った状態のものが複数である、請求項４に記載の通気防水履物である。【００５７】 通気孔２１の下部の尖った状態のものが複数であるものは、密着片２３との接触が複数倍になり、防水の安全性が増し、安心できる。但し、接触面積も複数倍になるので、密着片２３の必要押し付け圧力も増大するため、安全性は、複数倍になるとは限らない。【００５８】  請求項６に係る通気防水履物は、通気孔２１の形状が円柱又は逆円錐台を含む円錐台であり、密着片２３の形状が球、半球、球冠、球台、円錐台又は斜面が凹状である円錐台、円柱、円錐である、請求項１〜５のいずれか１項に記載の通気防水履物である。【００５９】  通気孔２１の形状が円柱というのは、通気孔２１の形状が円柱をくりぬいた後の形であるということである。逆円錐台、円錐台も同���である。逆円錐台は、本明細書では、円錐台を上下逆にして、上底の方が大きいものをいう。【００６０】 密着片２３の球台は、球を２つの平行な平面で切ったとき、２つの平面に挟まれた部分をいい、平面の上に乗った部分を球冠という。球冠の高さは、問わない。すなわち、半球より高さが大のものでもよい。斜面が凹状である円錐台は、球台の斜面が凸凹逆になったものと同じである。なお、球関係の縦断面形状が円でなく他の曲線でも、横に切ったときの平面形状が、円であればよい。【００６１】  通気孔２１の下部が円であり、底に押し上げられて当たる密着片２３の接触部も円なので、密着して漏水しない。密着片２３は、軟らかくないものでもよい。なお、通気孔２１の形状が円柱のものは、円柱の密着片２３は、適用できない。【００６２】  請求項７に係る通気防水履物は、通気孔２１の下部にヒダ２１２を設けた、請求項６に記載の通気防水履物である。【００６３】 通気孔２１の下部が円形であり、そこに押し付けられる密着片２３の接触部も円であるから、接触しやすく、なじみ易くするため、通気孔２１の下部にヒダ２１２を付ける。縦方向でも横方向でもよいが、横方向の方がなじみ易い。ヒダ２１２は、薄いもので、先にいくほど薄くなっているので、弾力があり、密着片２３によくなじむ。
【発明の効果】
【００７３】
請求項１に記載の発明は、陸上では従来技術に比べ大きな通気性があり、水中では水深に無関係の防水性がある通気防水履物が得られる、という効果がある。
【００７４】
請求項２に記載の発明は、陸上では従来技術に比べ大きな通気性があり、水中では水深に無関係の防水性がある通気防水履物が得られる、という効果がある。
【００７５】
請求項３に記載の発明は、陸上では従来技術に比べ大きな通気性があり、水中では水深に無関係の防水性がある通気防水履物が得られる、という効果がある。
【００７６】
請求項４に記載の発明は、陸上では従来技術に比べ大きな通気性があり、水中では水深に無関係の防水性がある通気防水履物が得られる、という効果がある。
【００７７】      請求項５に記載の発明は、陸上では従来技術に比べ大きな通気性があり、水中では水深に無関係の防水性がある通気防水履物が得られる、という効果がある。【００７８】
請求項６に記載の発明は、陸上では従来技術に比べ大きな通気性があり、水中では水深に無関係の防水性がある通気防水履物が得られる、という効果がある。
【００７９】
請求項７に記載の発明は、陸上では従来技術に比べ大きな通気性があり、水中では水深に無関係の防水性がある通気防水履物が得られる、という効果がある。
【発明を実施するための最良の形態】
【００８４】
陸上では従来技術に比べて大きな通気量があり、水中では水深に無関係な防水性がある通気防水履物を得るという目的を簡単な仕組みの通気防水栓を履物の底部に設けることで実現した。
【実施例１】
【００８５】
実施例１の通気防水長靴1を図1に基づいて説明する。図1の（Ａ）は実施例１の通気防水長靴1を示す断面図、（Ｂ）は（Ａ）の拡大図に示す通気防水栓2の水中での状態を示す断面図である。
【００８６】
（Ａ）に示すように、長靴1の本底１１の意匠の山部１１１に、通気防水栓2を設けたものである。拡大図は、通気防水栓２を示す。 通気孔２１の下に、軟らかい弾性体で作った密着片２３があり、その下に低比重体で作った浮上片２２がある。この２つは結合している。密着片２３と浮上片２２とは、密着片収納部２５の下部に設けた支持片２４により支えられる。陸上では、密着片２３と浮上片２２とは、重力により下がり支持片２４の上にある。従って、通気孔２１の下部にある先端部２１１と密着片２３との間は開いており、通気する。
【００８７】
（Ｂ）に示すように、水中では浮上片２２は、浮力により浮上するので、密着片２３は通気孔２１の先端部２１１に当り、密栓される。このようにして防水され、長靴１の中には水３は入らない。水中では、浮力の他に水圧も加わる。水圧は、深くなるほど強くなる。水深が深くなると、浮力に水圧も加わり、密着片２３は更に強く通気孔２１の先端部２１１に押し付けられ、一層防水効果が上がる。密着片２３が軟らかく、先端部２１１が尖っている場合は、食い込んだ状態になる。
【００８８】
このようにして、この通気防水長靴1は、陸上では通気性があり、水中では防水性がある。
【実施例２】
【００８９】
実施例2の通気防水短靴1を図2に基づいて説明する。図2の（Ａ）は実施例2の通気防水短靴1を示す断面図、（Ｂ）は（Ａ）の拡大図に示す通気防水栓２の水中での状態を示す断面図である。
【００９０】
（Ａ）に示すように、短靴1の本底１１に通気防水栓２を設けたものである。拡大図は、通気防水栓２を示す。円錐台状の密着片収納部２５の中に、中空の球体である浮上片２２と密着片２３とを兼ねたものが入っている。通気孔２１は、密着片収納部２５の上部の開口部である。密着片収納部２５も通気の経路の働きをしている。陸上では、この浮上片２２と密着片２３とを兼ねたものは、重力により下がり、密着片収納部２５の下部に設けた支持片２４により支えられている。実施例1と同様通気する。なお、本底１１の意匠の山１１１部の厚みを利用して、通気防水栓２を設けている。
【００９１】
（Ｂ）に示すように、水中では浮上片２２兼密着片２３は、中空のため浮力により浮上するので、浮上片２２兼密着片２３は密着片収納部２５の壁面２５２に当り、通気孔２１は密栓される。短靴1の中には、水３は入らない。
【００９２】
このようにして、この通気防水短靴1は、陸上では通気性があり、水中では防水性がある。本底１１からは、漏水しない。
【実施例３】
【００９３】
実施例3の通気防水栓２を図3に基づいて説明する。図3の（Ａ）は、実施例3の通気防水栓２を示す断面図、（Ｂ）は（Ａ）に示す通気防水栓2の通気孔２１の先端部２１１及び密着片２３と浮上片２２とを変えたものを示す断面図、（Ｃ）は（Ｂ）に示す通気防水栓2の通気孔２１の先端部２１１及び密着片２３と浮上片２２とを変えたものを示す断面図、（Ｄ）は浮上片２２の上に付けた独立気泡のゴムスポンジで作った密着片２３を示す断面図、（Ｅ）は全体が独立気泡のゴムスポンジで作った密着片２３兼浮上片２２を示す断面図、（Ｆ）は２枚の薄いプラスチックシート２３１で空気を封入して周囲を熱融着した密着片２３兼浮上片２２を示す断面図、（Ｇ）は（Ｆ）の中にウレタンフォームを封入した密着片２３兼浮上片２２を示す断面図、（Ｈ）は浅い断面コの字形に形成した薄いプラスチックシート２３１の上面に薄いプラスチックシート２３１を熱融着して中に空気を封入した密着片２３兼浮上片２２の下に更に中空の浮上片２２をつけたものを示す断面図、(Ｉ)は断面形状をコの字形に形成した浅いプラスチックシート２３１の下に薄いプラスチックシート２３１を熱融着して中に空気を封入した密着片２３兼浮上片２２を示す断面図、（Ｊ）は断面形状がコの字形の浮上片２２の上面に薄いプラスチックシート２３１を熱融着して中に水３を封入したものを示す断面図、(K)は上面が凹面状の密着片２３の下に浮上片２２を付けたものを示す断面図、（Ｌ）は保持片２２１を付けた浮上片２２と支持片２４とを示す底面図である。
【００９４】
実施例3は、通気防水栓2 の構造並びに密着片２３及び浮上片２２の 構造・形状を示すものである。（Ａ）に示す通気防水栓２は、本底１１に設けたもので、底意匠の山１１１を利用して、通気防水栓2の高さを確保している。通気防水栓2の構造は、実施例１のものとほぼ同じである。(通気孔２１の先端部２１１の形状が異なり、狭い平らの面になっている。)
【００９５】
（Ｂ）に示すのは、（Ａ）の通気防水栓2の通気孔２１の先端部２１１を尖ったものに変え、密着片２３及び浮上片２２の厚みを薄くするため、浮上片２２と密着片２３とを横に並べて、密着片２３の外側に浮上片２２を結合したものである。
【００９６】
（Ｃ）に示すものは、（Ｂ）の通気防水栓2の通気孔２１の先端部２１１を２重にし、浮上片２２の断面形状をコの字形にして、密着片２３の下側にも浮上片２２の一部を付けたもので、両者の結合が容易になり、強度・浮力も増す。密着片２３と浮上片２２との結合を保ち易く、浮上片２２の下側部分の厚みを薄くすれば、全体の厚みも薄く出来る。
【００９７】
（Ｄ）に示す密着片２３及び浮上片２２は、形状構造は（Ａ）のものと同じであるが、密着片２３を硬度の低い軟らかい独立気泡のゴムスポンジで作ったものである。
【００９８】
（Ｅ）に示すものは、全体が硬度の低い軟らかい独立気泡のゴムスポンジで、密着片２３と浮上片２２とを兼ねたものである。
【００９９】
（Ｆ）に示すものは、２枚の薄いプラスチックシート２３１で、空気を封入して周囲を熱融着したもので、密着片２３と浮上片２２とを兼ねたものである。この下側に、更に浮力を向上させる為、浮上片２２を追加してもよい。流体として、水を入れてもよい。図面で２３２は、シール部を表す。シールは、重ね合せ面全体でもよく、熱融着に限らない。
【０１００】
（Ｇ）に示すものは、（Ｆ）のものの内部にウレタンフォームを封入したものである。厳密には、ウレタンフォームと空気とを封入したものである。ウレタンフォームが入っているので、密着片２３ の形状を維持しやすい。
【０１０１】
（Ｈ）に示すものは、（Ｆ）の下側の薄いプラスチックシート２３１の断面形状をコの字形にし、上側の薄いプラスチックシート２３１を平板状にして、周辺を熱融着し、内部に空気を封入したものである。浮力を向上させる為、この下側に更に別の浮上片２２を付けてもよい。ここでは、中空型の浮上片２２を付けている。
【０１０２】
（Ｉ）に示す密着片２３兼浮上片２２は、（Ｈ）の密着片２３兼浮上片２２(下側に別の浮上片２２を付けないもの)の上下を逆にしたものである。
【０１０３】
（Ｊ）に示すものは、（Ｃ）の通気防水栓２の浮上片２２のように、断面形状がコの字形の浮上片２２ の上面に、薄いプラスチックシート２３１を結合させ、内部に水３を封入したものである。断面形状がコの字形なので、浮上片２２の形状を保ち易く、下側部分の厚みを薄くすれば、全体の厚みも薄く出来る。
【０１０４】
（Ｋ）に示すものは、上面が凹面状になった密着片２３の下に浮上片２２を付けたものである。
【０１０５】
（Ｌ）は、保持片２２１を付けた浮上片２２と支持片２４との関係を示すもので、３本の保持片２２１が浮上片２２の位置を安定化し、３本の支持片２４が浮上片２２を支えている。保持片２２１は、浮上片２２の位置を安定化させる他、通気量は、十分確保する。具体的には、密着片２３及び浮上片２２を底面の支持片２４の下方から押し込んで入れる。支持片２４は、本底１１と同じ材料でできており、厚みも薄いので、押し込むときは、容易に変形し、密着片２３及び浮上片２２は密着片収納部２５の中に入る。密着片２３及び浮上片２２は軽いので、支持片２４により支えられる。
【実施例４】
【０１０６】
実施例4の通気防水栓２を図4に基づいて説明する。図4の（Ａ）は実施例4の通気防水栓２を示す断面図、（Ｂ）は他の通気防水栓2を示す断面図である。
【０１０７】
実施例4は、密着片２３と支持手段とを展開し、保護片２６を付けた通気防水栓2を示すものである。（Ａ）に示す通気防水栓２は、本底１１の意匠の山部１１１に設け、通気孔２１の下部が平らである。浮上片２２の上につけられた平板状の密着片２３の上面に、軟らかい弾性体でできた凸状でリング状の密着片２３を設けたものである。リング状の密着片２３の上端は、丸みをもっている。水中に入ると、浮上片２２と共に密着片２３も浮上し、通気孔２１の平らな下部に当り、密栓される。リング状の密着片２３は、複数個にしてもよい。その他は、実施例３の（Ａ）に示すものと同じである。
【０１０８】
（Ｂ）に示すものは、浮上片２２の上面に、軟らかい弾性体でできた凸状でリング状の密着片２３を設けたものである。密着片２３の上端は、尖っている。更に、浮上片２２の下面には、浮上片２２を保護する保護片２６を設ける。支持手段として、支持片の代りに、支持糸２４１を設けている。支持糸２４１は、保護片２６を通気孔下部に吊り下げる。具体的には、本底成型時に細い糸状又は細長いテープ状のものを成型し、接着剤等で保護片２６の下部に結合する。その他は、（Ａ）に示すものと同じである。保護片２６があるので、例えば、尖ったものを踏んだりしても大丈夫である。
【０１０９】
保護片２６の色を本底１１の色とは異なる色にしてもよい。履物の底面から通気防水栓２を見たときに、保護片２６が目立つので、デザイン的にも面白い他製品検査にも役立つ。
【実施例５】
【０１１０】
実施例5の通気防水栓２を図５に基づいて説明する。図５の（Ａ）は実施例５の通気防水栓２を示す断面図、（Ｂ）は(Ａ)の通気防水栓２を示す底面図である。
【０１１１】
実施例5は、密着手段を展開した通気防水栓２を示すものである。（Ａ）に示すように、通気孔２１の下部は平らになっており、通気孔２１の下部周辺に、内部の広がった溝を設ける。この溝に低硬度の軟らかい弾性体でできた密着材２３５をはめ込む。
【０１１２】
浮上片２２の上に付けた密着片２３には、上記密着材２３５に対応した凸状でリング状の食込片２３６を設ける。食込片２３６の上端は尖っている。密着片２３の周辺には、密着片収納部２５の壁面との距離を保つための保持片２３７を適宜設ける。実施例5では４個設けている。
【０１１３】
支持手段として、支持片２４を密着片収納部２５の下部に設ける。
【０１１４】
水中に入ると、浮上片２２が浮上し、食込片２３６が密着材２３５に食込むため、密栓する。又、保持片２３７のため、食込片２３６の位置は安定する。
【０１１５】
陸上では、密着片２３等は、重力により下がり、通気する。
【０１１６】
浮上片２２の色を本底１１の色とは異なる色にしてもよい。履物の底面から通気防水栓２を見たときに浮上片２２が目立つので、デザイン的にも面白いし、消費者に通気防水栓２を適用しているとの訴求効果もある。
【実施例６】
【０１１７】
実施例6の通気防水栓２を図６に基づいて説明する。図６の（Ａ）は実施例６の通気防水栓２を示す断面図、（Ｂ）は（Ａ）を下から見た底面図、（Ｃ）は他の通気防水栓２を示す断面図である。
【０１１８】
実施例６は、密着片２３ の形状を変えた通気防水栓２について説明する。本底１１の意匠の山１１１に設ける。（Ａ）に示す密着片２３は、独立気泡の発泡体でできた球体で、浮上片２２を兼ねたものである。比重は小さい方がよいので、発泡スチロール等がよい。通気孔２１は、短い円筒状で、短いのは通気防水栓２を薄くするためである。通気孔２１の下が少し広くなっている部分は、密着片２３兼浮上片２２を上下動自在に収容するための密着片収納部２５である。密着片収納部２５の下部に、密着片２３兼浮上片２２の落下防止のため、支持片２４を設ける。
【０１１９】
（Ｂ）に、支持片２４の平面状況を示す。水中に入ると、密着片２３兼浮上片２２は浮上し、通気孔２１の下部に当り、密栓される。
【０１２０】
（Ｃ）に示す通気防水栓２の密着片２３兼浮上片２２の形状は、円錐形で、通気孔２１の下部には薄いヒダ２１２を設ける。ヒダ２１２の目的は、密着片２３となじみ易くするためである。支持手段として、支持板２４２を用いる。即ち、密着片２３兼浮上片２２の下に薄い、細長い板状の支持板２４２を付け、同支持板２４２の反対側の端に付けた取付突起２４３を本底１１の下部に設けた取付穴に、はめて取付ける。支持板２４２は、薄くて柔軟性があり、軽い密着片２３兼浮上片２２では下がらないが、水中に入ると、浮力は大きいので、直ちに上がり、密栓する。その他は、(Ａ)に示すものと同じである。これらの密着片２３も水深が深くなると、水圧が大になり、防水性が向上するのは、前記のものと同様である。なお、密着片収納部２５の下部に支持補助片２４４を設けてもよい。
【実施例７】
【０１２１】
実施例７の通気防水栓２を図７に基づいて説明する。図７の（Ａ）は実施例７の通気防水栓２を示す断面図、（Ｂ）は密着片２３兼浮上片２２を中空の円柱にしたものの断面図、（Ｃ）は同じく密着片２３兼浮上片２２を円錐台の独立気泡発泡体にした断面図、（Ｄ）は同じく密着片２３兼浮上片２２ を半球の独立気泡発泡体にした断面図、（Ｅ）は同じく密着片２３兼浮上片２２を球台の独立気泡発泡体にした断面図、（Ｆ）は（Ｃ）の円錐台形のものの側面にヒダ２３８を付けたものの断面図、（Ｇ）は（Ａ）の円錐台形の密着片収納部２５の壁面２５２にヒダ２５１を設けたものの断面図、（Ｈ）は円錐台の密着片２３の下にこれに対応して全体が円錐台形になるようにした円錐台の浮上片２２を付けたものの断面図、（Ｉ）は 円錐台の密着片２３の下に円柱の浮上片２２ を付けたものの断面図、（Ｊ）は斜面が凹状になっている円錐台の 密着片２３の下に円柱の浮上片２２を付けたものの断面図である。
【０１２２】
実施例７は、通気孔２１の下の密着片収納部２５を円錐台にした通気防水栓２及びこれに使用する密着片２３並びにこの円錐台形の密着片収納部２５の壁面２５２にヒダ２５１を付けたもの及びこれに使用する密着片２３に関するものである。
【０１２３】
（Ａ）は、円錐台形の密着片収納部２５の下部に支持片２４を設け、中に独立気泡発泡体の円柱密着片２３ を入れたものである。
【０１２４】
（Ｂ）は、（Ａ）の円柱密着片２３ を中空にしたものである。
【０１２５】
（Ｃ）は、独立気泡発泡体の円錐台密着片２３兼浮上片２２である。
【０１２６】
（Ｄ）は、独立気泡発泡体の半球の密着片２３兼浮上片２２ である。
【０１２７】
（Ｅ）は、（Ｄ）の密着片２３兼浮上片２２を球台にしたものである。
【０１２８】
（Ｆ）は、（Ｃ）の円錐台密着片２３兼浮上片２２の斜面にヒダ２３８を付けたものである。 
【０１２９】
（Ｇ）は、（Ａ）の円錐台密着片収納部２５の壁面２５２にヒダ２５１を付けたものである。
【０１３０】
（Ｈ）は、円錐台の密着片２３の下にこれに対応した円錐台の浮上片２２を付けたものである。密着片２３は、軟らかい弾性体でも低硬度の独立気泡弾性体発泡体でもよい。浮上片２２は低比重のものなら、何でもよいが、発泡スチロールでもよい。
【０１３１】
（Ｉ）は、（Ｈ）の密着片２３の下に円柱の浮上片２２をつけたものである。
【０１３２】
（Ｊ）は、斜面が凹状である円錐台の密着片２３の下に円柱の浮上片２２を付けたものである。
【０１３３】
円錐台密着片収納部２５に入れた（Ｂ）、（Ｃ）、（Ｄ）、（Ｅ）、（Ｈ）、（Ｉ）、（Ｊ）に示すような、円柱、円錐台、半球、球台、円錐台、円錐台、斜面が凹状である円錐台の密着片２３は、水中では浮上し、密着片収納部２５の壁面２５２に密着して、水の浸入を防止する。
【０１３４】
（Ｆ）のヒダ２３８の付いた密着片２３は、ヒダ２３８が密着片収納部２５の壁面２５２によくなじみ、水の浸入を防止する。
【０１３５】
（Ｇ）の密着片収納部２５の壁面２５２にヒダ２５１を設けたものは、（Ｃ）、（Ｈ）、（Ｉ）のような円錐台の密着片２３に、ヒダ２５１がなじみ、水の浸入を防止する。
【実施例８】
【０１３６】
実施例８の通気防水栓２を図８に基づいて説明する。図８の（Ａ）は実施例８の通気防水栓２を示す断面図、（Ｂ）は他の例を示す断面図である。
【０１３７】
実施例８は、通気孔２１が逆円錐台形(上側が大きい)になっているものである。その他は、実施例７と同様である。実施例７は、通気孔２１と密着片収納部２５とを兼用していて、上部の開口部を通気孔２１としていたが、実施例８では、この両者がそれぞれ分かれている。
【０１３８】
（Ａ）に示すものは、通気孔２１が逆円錐台で、密着片２３兼浮上片２２は、中空の球である。水中では、密着片２３兼浮上片２２が浮上し、通気孔２１の下部に密着する。
【０１３９】
（Ｂ）に示すのは、通気孔２１が逆円錐台で、通気孔２１の下部にヒダ２１２を設けている。ヒダ２１２は、先端に行くほど薄くなり、先端は尖っている。密着片２３兼浮上片２２は、円錐の独立気泡発泡体である。水中では、密着片２３兼浮上片２２が浮上し、通気孔２１下部のヒダ２１２になじんで密着する。
【実施例９】
【０１４０】
実施例９の通気防水栓２を図９に基づいて説明する。図９は、実施例９の通気防水栓２の構造を示す断面図である。
【０１４１】
実施例９の通気防水栓２は、密着片２３を浮上させるのに、てこ２７を用いたもので、浮上片２２の大きいものが使用できないときのためのものである。てこ２７の支点２７１は、密着片２３すなわち通気孔２１の近くに設けた取付突起になる。取付突起は、本底１１の下部に設けた取付穴に、はめて取付ける。浮上片２２は、てこ２７の密着片２３から離れた端に取付ける。浮上片２２の下のてこ２７の下には、支持片２４を設ける。実施例９の密着片２３は、てこ２７を用いるため、小さな浮上片２２で、大きな浮力を得る。密着片収納部２５の浮上片２２が浮上する部分は、浮上片２２が上昇できる凹部を設けておく。その他は、実施例８と同様である。
【実施例１０】
【０１４２】
実施例１０の通気防水栓２その他を図１０に基づいて説明する。図１０の（Ａ）は、実施例１０の通気防水長靴１を示す断面斜視図、（Ｂ）は従来技術の通気性長靴を示す断面斜視図、（Ｃ）は従来技術の長靴のズボン上昇防止突起を示す部分断面斜視図である。
【０１４３】
実施例１０は、通気防水長靴１の排気手段を説明するもので、（Ａ）に示すものは、射出成型による長靴１の胴部１３の内側に裏布を通して、少なくとも２列の排気突起１４を縦方向に並べたものである。即ち、少なくとも１列の排気空間１５を形成する。排気突起１４の列は増してもよい。通常、長靴を履くときは、ズボンの裾を横に折り曲げて、長靴の履口に入れるため、長靴の履口はズボンで蓋をしたような状態になり、長靴内の空気の排出を邪魔している。通気防水栓２から外部の空気が入ってきても、出口がないに近いので、蒸れ解消にはなりにくい。排気突起１４の列による排気空間１５は、長靴１内の空気の排気を助ける働きがある。
【０１４４】
排気突起１４を形成するには、ラストに細い、浅い穴をあけるだけでよい。生産コストは、安く済む。コストをかけずに、通気防水栓２の働きの阻害要因を除く効果がある。
【０１４５】
中底面１２には、裏布を通して、多数の通気突起１６を設ける。中底面１２と足の裏との直接接触を防止し、両者の間に空間を形成するので、通気防水栓２から出た通気を停滞させず広がりやすくし、足の裏の蒸れを防止するためである。通気突起１６の先端は、平らにして、足の裏を刺激しないようにしてもよい。中底面１２に通気突起１６を形成するには、ラストの底面に浅い穴をあけるだけでよく、コストはかからない。最近の射出成型長靴は、中底を使用していないが、以前のように中底を使用するときは、中底に予め大きめの孔をあけておき、中底の位置を規制すればよい。
【０１４６】
（Ｂ）に示すものは、 従来技術の射出成型による通気長靴１の胴部１３の内側に裏布を通して、細長い凸条突起１７を縦方向に並べたものである。即ち、凸条突起１７間で排気溝１８を形成する。目的は、（Ａ）のものと同様排気である。
【０１４７】
（Ｃ）に示すものは、従来の射出成型長靴１の履口に設けたズボンの上昇防止突起１９である。
【実施例１１】
【０１４８】
実施例１１の通気防水栓２その他を図１１に基づいて説明する。図１１の（Ａ）は、実施例１１のつっかけを示す断面斜視図、（Ｂ）は他のつっかけを示す断面斜視図である。
【０１４９】
実施例１１は、つっかけに通気防水栓２を適用したもので、（Ａ）に示すものは、つっかけ1の本底１１の踏付部に通気防水栓２を装着する。通気防水栓２は、上記実施例で説明したもののどれでもよい。図面では、通気防水栓２の詳細は、省略している。つっかけの本底１１は、比較的厚いものが多いので、通気防水栓２を装着し易い。つっかけ１は、足の甲部全面を覆うものがないので、一見蒸れ防止対策は必要ないように見えるが、（Ａ）に示すような、足の裏に接する面が平らなものは、長く履くと、足の裏に汗がたまり、不快な思いをすることは、よくあることである。通気防水栓２は、複数個装着してもよい。通気防水栓２により、蒸れが防止される。
【０１５０】
（Ｂ）に示すものは、（Ａ）のものの足の裏に接する面に、通気突起１６を多数付けたものである。足の裏との間に通気空間が形成され、（Ａ）のものよりも蒸れ防止効果が高い。通気防水栓２は、複数個装着してもよい。通気突起１６は、実施例１０と同様、先端を平らにして、足の裏を刺激しないようにしてもよい。
【産業上の利用可能性】
【０１５１】
通気防水栓を底部に設けた通気防水履物は、常時陸上で履く場合、陸上・水中の両方で履く場合に利用できる。
【図面の簡単な説明】
【０１５２】
【図１】実施例１の通気防水長靴及び通気防水栓を示す断面図である。
【図２】実施例２の通気防水短靴及び通気防水栓を示す断面図である。
【図３】実施例３の通気防水栓及び部分を示す断面図及び底面図である。
【図４】実施例４の通気防水栓を示す断面図である。
【図５】実施例５の通気防水栓を示す断面図及び底面図である。
【図６】実施例６の通気防水栓を示す断面図及び底面図である。
【図７】実施例７の通気防水栓及び部分を示す断面図である。
【図８】実施例８の通気防水栓を示す断面図である。
【図９】実施例９の通気防水栓を示す断面図である。
【図１０】実施例１０の通気防水長靴を示す断面斜視図及び部分断面斜視図である。
【図１１】実施例１１のつっかけを示す断面斜視図である。
【符号の説明】
【０１５３】
１        通気防水履物、通気防水長靴、通気防水短靴、通気防水つっかけ
１１      底部、本底
１１１    意匠の山
１２      中底
１３      胴部
１４      排気突起
１５      排気空間
１６      通気突起
１７      凸条突起
１８      通気溝
１９      ズボン上昇防止突起
２        通気防水栓
２１      通気孔
２１１    先端部
２１２    ヒダ
２２      浮上片
２２１    保持片
２３      密着片
２３１    薄いシート
２３２    シール部
２３３    流体
２３４    ウレタンフォーム
２３５    密着材
２３６    食込片
２３７    保持片
２３８    ヒダ
２４      支持片
２４１    支持糸
２４２    支持板
２４３    取付突起
２４４    支持補助片  
２５      密着片収納部
２５１    ヒダ
２５２    壁面
２６      保護片
２７      てこ
２７１    支点
３        水
【図１】
0005200237.tif 000002
【図２】
0005200237.tif 000003
【図３】
0005200237.tif 000004
【図４】
0005200237.tif 000005
【図５】
0005200237.tif 000006
【図６】
0005200237.tif 000007
【図７】
0005200237.tif 000008
【図８】
0005200237.tif 000009
【図９】
0005200237.tif 000010
【図１０】
0005200237.tif 000011
【図１１】
0005200237.tif 000012